(57)【特許請求の範囲】
【請求項１】
排水処理装置に設けられた水処理槽に流入する水を下方側に導くためのバッフルであって、
前記バッフルが排水処理装置の水処理槽に取り付けられた場合の上方側から下方側へ延びる流路と、前記流路に連通する流出口と、を形成する壁部を備え、
前記壁部は、前記流路内において、前記排水処理装置の前記水処理槽に前記バッフルが取り付けられた場合の前記水処理槽の設計上の最高水位の位置よりも低く、かつ、前記流出口よりも高い位置に配置され上方側を向く内面であって前記排水処理装置の前記水処理槽に前記バッフルが取り付けられた場合の鉛直上方向と前記内面の法線ベクトルとが成す角度である傾斜角度が４０度以下である前記内面を形成し、前記流路内を下方側に移動する水の流れを前記内面によって受けるように構成された阻流部を含み、
前記壁部は、前記バッフルの底を塞ぐ底壁部と、前記底壁部から上方側に向かって延びる側壁部と、を含み、
前記流出口は、前記側壁部に形成されている、
バッフル。
【請求項２】
請求項１に記載のバッフルであって、
前記排水処理装置の前記水処理槽に前記バッフルが取り付けられた場合の前記最高水位の高さから下方を向いて前記バッフルを見る場合に、前記阻流部の前記上方側を向く前記内面の少なくとも一部は、前記バッフルの前記阻流部以外の部分に隠れずに視認可能な位置に配置されている、
バッフル。
【請求項３】
請求項１または２に記載のバッフルであって、
前記壁部は、前記バッフルの前記流路へ水を導く管が接続される流入口を形成し、
前記バッフルが前記排水処理装置の前記水処理槽に取り付けられた場合の上方から下方を向いて前記バッフルを見る場合に、
前記流入口に接続される前記管の延びる方向に前記流入口を投影する場合に前記投影された前記流入口と重なり得る範囲を投影範囲と呼ぶときに、
前記阻流部の前記上方側を向く前記内面の少なくとも一部は、前記投影範囲内に配置されている、
バッフル。
【請求項４】
請求項３に記載のバッフルであって、
前記上方から前記下方を向いて前記バッフルを見る場合に、
前記阻流部は、前記壁部のうちの前記流入口に対向する側壁部の前記投影範囲内の部分に設けられている部分を含む、
バッフル。
【請求項５】
請求項１から４のいずれか１項に記載のバッフルであって、
前記阻流部は、前記流路の内面を上方側から下方側に辿る場合に前記流路の前記内面が前記流路の内側に向かって階段状に隆起することによって前記上方側を向く前記内面の少なくとも一部を形成する段部を含む、
バッフル。
【請求項６】
請求項１から５のいずれか１項に記載のバッフルであって、
前記阻流部は、前記流路の内側に向かって突出することによって前記上方側を向く前記内面の少なくとも一部を形成する突出部を含む、
バッフル。
【請求項７】
請求項６に記載のバッフルであって、
前記突出部は、前記流出口の上端の少なくとも一部を形成する、バッフル。
【請求項８】
請求項１から７のいずれか１項に記載のバッフルであって、
前記壁部は、水平な断面での前記流路の断面積が下方に向かって、連続的に、または、階段状に、小さくなるように、構成されている、
バッフル。
【発明の詳細な説明】
【技術分野】
【０００１】
本開示は、排水処理装置の水処理槽に設けられるバッフルに関する。
【背景技術】
【０００２】
従来から、微生物を利用して排水処理が行われている。そのような排水処理を行う排水処理装置としては、複数の水処理槽（例えば、嫌気濾床槽と接触曝気槽とを含む複数の水処理槽）を収容する装置が利用されている。排水処理が進行することによって、排水処理装置内では、固形物と微生物膜などを含む汚泥が徐々に増加する。汚泥は、水面に浮上してスカムとなる場合がある。排水処理装置の性能を維持するために、汚泥とスカムとは、清掃（例えば、定期的な清掃）によって排水処理装置から除去される。排水処理装置は、清掃によって除去されるまで汚泥とスカムとを貯留する水処理槽を有する場合がある。このような水処理槽に流入する水の勢いが強い場合、流入水によってスカムが撹拌されて、水処理槽（ひいては、排水処理装置）からスカムが流出する可能性がある。水処理槽に流入する水によるスカムの崩壊を防止するために、底面と、この底面周囲に立設され汚水の流入口及び流出口を有した側壁とを備え、上記流出口の設置位置が、上下方向では上記流入口よりも低く、水平方向では上記流入口より流入する汚水の流入軌跡と上記側壁との交差する部位を避けた部位に設けられる移流バッフルが提案されている。
【先行技術文献】
【特許文献】
【０００３】
【特許文献１】特開２００６−２１８３４７号公報
【特許文献２】特開２００４−２５５２３７号公報
【発明の概要】
【発明が解決しようとする課題】
【０００４】
ところが、流入する水の勢いを緩和する点については、十分な工夫がなされていないのが実情であった。
【０００５】
本開示は、バッフルの流路内を移動する水の勢いを緩和できる技術を開示する。
【課題を解決するための手段】
【０００６】
本開示は、例えば、以下の態様または適用例を開示する。
［態様］
排水処理装置に設けられた水処理槽に流入する水を下方側に導くためのバッフルであって、
前記バッフルが排水処理装置の水処理槽に取り付けられた場合の上方側から下方側へ延びる流路と、前記流路に連通する流出口と、を形成する壁部を備え、
前記壁部は、前記流路内において、前記排水処理装置の前記水処理槽に前記バッフルが取り付けられた場合の前記水処理槽の設計上の最高水位の位置よりも低く、かつ、前記流出口よりも高い位置に配置され上方側を向く内面であって前記排水処理装置の前記水処理槽に前記バッフルが取り付けられた場合の鉛直上方向と前記内面の法線ベクトルとが成す角度である傾斜角度が４０度以下である前記内面を形成し、前記流路内を下方側に移動する水の流れを前記内面によって受けるように構成された阻流部を含み、
前記壁部は、前記バッフルの底を塞ぐ底壁部と、前記底壁部から上方側に向かって延びる側壁部と、を含み、
前記流出口は、前記側壁部に形成されている、
バッフル。
【０００７】
［適用例１］
排水処理装置に設けられた水処理槽に流入する水を下方側に導くためのバッフルであって、
前記バッフルが排水処理装置の水処理槽に取り付けられた場合の上方側から下方側へ延びる流路と、前記流路に連通する流出口と、を形成する壁部を備え、
前記壁部は、前記流路内において、前記排水処理装置の前記水処理槽に前記バッフルが取り付けられた場合の前記水処理槽の設計上の最高水位の位置よりも低く、かつ、前記流出口よりも高い位置に配置され上方側を向く内面を形成し、前記流路内を下方側に移動する水の流れを前記内面によって受けるように構成された阻流部を含む、
バッフル。
【０００８】
この構成によれば、バッフルの流路内を下方側に移動する水の勢いを阻流部によって緩和できる。この結果、バッフルから流出する水の勢いが緩和されるので、バッフルを通じて水処理槽に流入する水の勢いによって水処理槽内がかき乱されることを抑制できる。
【０００９】
［適用例２］
適用例１に記載のバッフルであって、
前記排水処理装置の前記水処理槽に前記バッフルが取り付けられた場合の前記最高水位の高さから下方を向いて前記バッフルを見る場合に、前記阻流部の前記上方側を向く前記内面の少なくとも一部は、前記バッフルの前記阻流部以外の部分に隠れずに視認可能な位置に配置されている、
バッフル。
【００１０】
この構成によれば、阻流部は、バッフルの流路内を下方側に移動する水の勢いを容易に受けることができるので、阻流部は、水の勢いを容易に緩和できる。
【００１１】
［適用例３］
適用例１または２に記載のバッフルであって、
前記壁部は、前記バッフルの前記流路へ水を導く管が接続される流入口を形成し、
前記バッフルが前記排水処理装置の前記水処理槽に取り付けられた場合の上方から下方を向いて前記バッフルを見る場合に、
前記流入口に接続される前記管の延びる方向に前記流入口を投影する場合に前記投影された前記流入口と重なり得る範囲を投影範囲と呼ぶときに、
前記阻流部の前記上方側を向く前記内面の少なくとも一部は、前記投影範囲内に配置されている、
バッフル。
【００１２】
この構成によれば、阻流部が、バッフルの流路に導かれた水の流れを受け易いので、バッフルの流路内を下方側に移動する水の勢いを阻流部によって容易に緩和できる。
【００１３】
［適用例４］
適用例３に記載のバッフルであって、
前記上方から前記下方を向いて前記バッフルを見る場合に、
前記阻流部は、前記壁部のうちの前記流入口に対向する側壁部の前記投影範囲内の部分に設けられている部分を含む、
バッフル。
【００１４】
流入口に接続された管を通って勢いの強い水が流入する場合、流入口に対向する側壁部が流入した水の流れを受け、そして、その側壁部に沿って水が下方側に移動する。上記構成によれば、阻流部は、側壁部に沿って下方側に移動する水の流れを容易に受けることができるので、バッフルの流路内を下方側に移動する水の勢いを阻流部によって容易に緩和できる。
【００１５】
［適用例５］
適用例１から４のいずれか１項に記載のバッフルであって、
前記阻流部は、前記流路の内面を上方側から下方側に辿る場合に前記流路の前記内面が前記流路の内側に向かって階段状に隆起することによって前記上方側を向く前記内面の少なくとも一部を形成する段部を含む、
バッフル。
【００１６】
この構成によれば、段部を含む壁部を用いて容易に阻流部を形成できるので、バッフルの流路内を下方側に移動する水の勢いを容易に緩和できる。
【００１７】
［適用例６］
適用例１から５のいずれか１項に記載のバッフルであって、
前記阻流部は、前記流路の内側に向かって突出することによって前記上方側を向く前記内面の少なくとも一部を形成する突出部を含む、
バッフル。
【００１８】
この構成によれば、突出部を用いて容易に阻流部を形成できるので、バッフルの流路内を下方側に移動する水の勢いを容易に緩和できる。
【００１９】
［適用例７］
適用例１から６のいずれか１項に記載のバッフルであって、
前記壁部は、水平な断面での前記流路の断面積が下方に向かって、連続的に、または、階段状に、小さくなるように、構成されている、
バッフル。
【００２０】
この構成によれば、壁部を容易に成形できるので、バッフルの流路内を下方側に移動する水の勢いを緩和可能なバッフルを、容易に製造できる。
【００２１】
［適用例８］
適用例１から７のいずれか１項に記載のバッフルであって、
前記壁部は、前記バッフルの底を塞ぐ底壁部と、前記底壁部から上方側に向かって延びる側壁部と、を含み、
前記流出口は、前記側壁部に形成されている、
バッフル。
【００２２】
この構成によれば、底壁部が水の流れを受けることによって水の勢いを緩和できる。この結果、バッフルから流出する水の勢いが緩和されるので、バッフルを通じて水処理槽に流入する水の勢いによって水処理槽内がかき乱されることを抑制できる。
【００２３】
［適用例９］
適用例６に従属する場合の適用例８に記載のバッフルであって、
前記突出部は、前記流出口の上端の少なくとも一部を形成する、バッフル。
【００２４】
この構成によれば、下方側に向かう水が、阻流部によって勢いが緩和されることなく、直接的に流出口から流出することを抑制できる。
【００２５】
なお、本明細書に開示の技術は、種々の形態で実現することが可能であり、例えば、バッフル、バッフルを備える水処理槽、バッフルを備える水処理槽を収容する排水処理装置、等の形態で実現することができる。
【図面の簡単な説明】
【００２６】
【図１】一実施例としての排水処理装置８００の処理フローを示す説明図である。
【図２】排水処理装置８００を横から見た概略構成図である。
【図３】排水処理装置８００の概略構成を示している。
【図４】排水処理装置８００の概略構成を示している。
【図５】流入バッフル９００の説明図である。
【図６】流入バッフル９００の断面図である。
【図７】シミュレーションの説明図である。
【図８】高さＨと最大流速Ｖｍとの関係を示すグラフである。
【図９】最大流速Ｖｏを示すグラフである。
【図１０】シミュレーションの説明図である。
【図１１】高さＨと最大流速Ｖｍとの関係を示すグラフである。
【発明を実施するための形態】
【００２７】
Ａ．第１実施例：
図１は、一実施例としての排水処理装置８００の処理フローを示す説明図である。本実施例の排水処理装置８００は、一般家庭等からの排水の浄化処理を行う（このような装置は「浄化槽」とも呼ばれる）。排水処理装置８００は、複数のステップを経て浄化処理を行うために、複数の水処理槽を有している。図１の実施例では、排水処理装置８００は、上流（図１の左側）から順番に、夾雑物除去槽８１０、嫌気濾床槽８２０、接触曝気槽８３０、処理水槽８４０、消毒槽８５０の各水処理槽を、収容している。排水処理装置８００に流入した排水は、夾雑物除去槽８１０、嫌気濾床槽８２０、接触曝気槽８３０、処理水槽８４０、消毒槽８５０で順次処理された後に、排水処理装置８００の外部に放流される。以下、各水処理槽を流れる水を「被処理水」あるいは、単に「水」と呼ぶ。
【００２８】
図２は、排水処理装置８００を横から見た概略構成図である。図３は、図２中のＡ−Ａ断面から下方を向いて見た排水処理装置８００の概略構成を示している。図３の下部には、接触曝気槽８３０と処理水槽８４０とのそれぞれの壁を表す説明図が示されている。図４は、図２中のＢ−Ｂ断面から夾雑物除去槽８１０側を向いて見た排水処理装置８００の概略構成を示している。これらの図中において、Ｚ方向は、鉛直方向の下方から上方へ向かう方向を示し、Ｘ方向は、排水処理装置８００の長手方向（水平な方向）を示し、Ｙ方向は、Ｘ方向とＺ方向とのそれぞれに直交する方向（水平な方向）を示している。以下、Ｘ方向を「＋Ｘ方向」とも呼び、Ｘ方向側を「＋Ｘ側」とも呼び、Ｘ方向の反対方向を「−Ｘ方向」とも呼び、−Ｘ方向側を「−Ｘ側」とも呼ぶ。Ｙ方向、Ｚ方向についても、同様である。
【００２９】
夾雑物除去槽８１０は、排水中の夾雑物を分離する水処理槽である。図２、図３に示すように、夾雑物除去槽８１０は、排水処理装置８００の最上流部に配置されている。流入口８０２からの排水（汚水とも呼ばれる）は、まず、夾雑物除去槽８１０に流入する。夾雑物除去槽８１０は、固液分離手段（本実施例では、流入バッフル９００）を有しており、排水中の夾雑物を被処理水から分離する。夾雑物が分離（除去）されたあとの水は、移流開口８１４を通じて、嫌気濾床槽８２０に移流する。
【００３０】
嫌気濾床槽８２０は、嫌気性微生物による嫌気処理を行う水処理槽である。嫌気濾床槽８２０は、嫌気性微生物が付着するための濾材８２２を有している。嫌気処理によって、被処理水中の有機物が分解される。また、濾材８２２は、被処理水中の浮遊物を捕捉し得る。
【００３１】
図２、図３に示すように、嫌気濾床槽８２０の下流側（＋Ｘ側）の側壁８０３は、槽本体８０１を、Ｘ方向に対して垂直に、２つに仕切る壁である（以下、この壁を「仕切板８０３」とも呼ぶ）。仕切板８０３の反対側（＋Ｘ側）には、上から見て、仕切板８０３から＋Ｘ側（図３中の右側）に突出する略Ｕ字状に配置された側壁部８４３、８４２、８４４が、固定されている。仕切板８０３と側壁部８４３、８４２、８４４で囲まれる空間が、処理水槽８４０に相当する。仕切板８０３と槽本体８０１とで囲まれる＋Ｘ側の空間のうちの、側壁部８４３、８４２、８４４の外側の空間は、接触曝気槽８３０に相当する。側壁部８４３、８４２、８４４の構成については、後述する。
【００３２】
仕切板８０３における嫌気濾床槽８２０と接触曝気槽８３０との境界を成す部分には、移流開口８２４が形成されている（図２、図３）。移流開口８２４は、仕切板８０３の上部に配置されており、通常時には、水面ＷＬは、この移流開口８２４の途中に位置する。後述するように、水面ＷＬは、低水位ＬＷＬと高水位ＨＷＬとの間で、変動し得る。嫌気濾床槽８２０で処理された水は、移流開口８２４を通じて、接触曝気槽８３０に移流する。
【００３３】
接触曝気槽８３０は、好気性微生物による好気処理を行う水処理槽である。図３に示すように、接触曝気槽８３０は、処理水槽８４０の三方（＋Ｙ方向、＋Ｘ方向、−Ｙ方向）を囲むように形成されている。図４に示すように、接触曝気槽８３０は、好気性微生物が付着するための接触材８３２、８３３を有している。第２接触材８３３は、第１接触材８３２の下に配置されている。これらの接触材８３２、８３３のそれぞれは、処理水槽８４０の両側（＋Ｙ側と−Ｙ側）に配置されている（図３、図４）。また、接触曝気槽８３０は、接触材８３２、８３３よりも下に配置された散気装置８３４を有している。散気装置８３４には、図示しないブロワー（送風機）が接続される。散気装置８３４は、ブロワーによって供給された空気を、接触曝気槽８３０内に供給する。好気性微生物は、空気に含まれる酸素を利用して、被処理水中の有機物を分解する。接触曝気槽８３０で処理された水は、接触曝気槽８３０の底部と処理水槽８４０の底部とを連通する移流開口８３６を通じて、処理水槽８４０に移流する。
【００３４】
処理水槽８４０は、接触曝気槽８３０から移流した水を一時的に滞留して、水中の固形物（例えば、汚泥や浮遊物質等）を沈降・分離する水処理槽である。後述するように、処理水槽８４０は、底部から水が流入する上向流の水処理槽である。
【００３５】
図３に示すように、鉛直方向の上から下を向いて見たときに、第２側壁部８４２は仕切板８０３と対向し、第３側壁部８４３は第４側壁部８４４と対向する。第３側壁部８４３は、第２側壁部８４２の＋Ｙ側の端部８４２ｅ１と仕切板８０３とを接続する。第４側壁部８４４は、第２側壁部８４２の−Ｙ側の端部８４２ｅ２と仕切板８０３とを接続する。第３側壁部８４３と仕切板８０３との接続部分８４３ｅと、第４側壁部８４４と仕切板８０３との接続部分８４４ｅとのそれぞれは、仕切板８０３の両端８０３ｅ１、８０３ｅ２よりも内側に配置されている。なお、仕切板８０３は、処理水槽８４０の−Ｘ側の側壁部（第１側壁部とも呼ぶ）を形成している。
【００３６】
図２に示すように、処理水槽８４０の下部分８４９は、いわゆるホッパー構造を有している（以下、この下部分８４９を「ホッパー部分８４９」とも呼ぶ）。ホッパー部分８４９では、第２側壁部８４２が鉛直方向に対して傾斜しており、処理水槽８４０の断面積（水平な断面積）は、底に近いほど小さい（第２側壁部８４２のうちの傾斜した部分８４２ｄを「傾斜部８４２ｄ」とも呼ぶ）。また、図４に示すように、ホッパー部分８４９の下部分８４９Ｌにおいては、さらに、第３側壁部８４３と第４側壁部８４４とのそれぞれも、鉛直方向に対して傾斜している（側壁部８４３、８４４のそれぞれの傾斜した部分も「傾斜部」と呼ぶことができる）。この下部分８４９Ｌは、いわゆる３面ホッパー構造を有している。処理水槽８４０において分離された固形物は、側壁部８４２、８４３、８４４によって、処理水槽８４０の底部（処理水槽８４０の上部よりも狭い空間）に集められる。
【００３７】
図２に示すように、仕切板８０３の下端は、槽本体８０１の底面に接続されている。一方、図２、図４に示すように、側壁部８４２、８４３、８４４の下端は、槽本体８０１の底面から離れている。側壁部８４２、８４３、８４４の下端と、槽本体８０１の底面との間の隙間は、移流開口８３６に相当する。
【００３８】
図２に示すように、処理水槽８４０には、循環エアリフトポンプ８６０が設けられている。循環エアリフトポンプ８６０は、処理水槽８４０の底部から高水位ＨＷＬよりも上まで上方に向かって延びる第１移流管８６１と、第１移流管８６１の上部に接続されて、夾雑物除去槽８１０の上方まで、緩い下り勾配で延びる第２移流管８６３と、を有している。第１移流管８６１の底部側の端は吸入口８６２を形成している。第２移流管８６３の夾雑物除去槽８１０側の端は流出口８６４を形成している。第２移流管８６３は、流入バッフル９００の孔を貫通しており、流出口８６４は、流入バッフル９００内に配置されている。循環エアリフトポンプ８６０は、処理水槽８４０の底部から夾雑物除去槽８１０へ、固形物や水を移送（返送）する。上述したように、処理水槽８４０の下部分８４９はホッパー構造を有しているので、処理水槽８４０で分離された固形物は、底部（吸入口８６２の近傍）の狭い空間に集められる。その結果、分離された固形物の処理水槽８４０からの除去を容易に行うことができる。なお、循環エアリフトポンプ８６０は、上述した図示しないブロワーからの空気によって、駆動される。ブロワーからの空気の分配量は、図示しないバルブによって調整される。循環エアリフトポンプ８６０は定常的に駆動されてよい。また、循環エアリフトポンプ８６０を間欠駆動してもよい。
【００３９】
消毒槽８５０は、被処理水を消毒する水処理槽である。消毒槽８５０は、処理水槽８４０の上部に配置されている（図２）。本実施例では、消毒槽８５０は、放流エアリフトポンプ８７０を有している。放流エアリフトポンプ８７０の吸入口８７２は、処理水槽８４０内の低水位ＬＷＬの高さに配置されており、放流エアリフトポンプ８７０の流出口８７４は、消毒槽８５０の上流側に配置されている。処理水槽８４０の水面ＷＬ近傍の水（固形物が分離された水）は、吸入口８７２から放流エアリフトポンプ８７０に流入する。放流エアリフトポンプ８７０に流入した水は、放流エアリフトポンプ８７０の駆動によって、消毒槽８５０に少しずつ移送される。放流エアリフトポンプ８７０は、水位ＷＬが低水位ＬＷＬ以上である状態で、水を移送可能である。このように、通常の使用状態では、最も低い水位ＷＬは、低水位ＬＷＬである。このような低水位ＬＷＬは、設計上の最低水位ということができる。また、放流エアリフトポンプ８７０は、上述した図示しないブロワーからの空気によって、駆動される。ブロワーからの空気の分配量は、図示しないバルブによって調整される。
【００４０】
消毒槽８５０は、消毒剤（例えば、固形塩素剤）が充填された薬剤筒８５４を有している。消毒槽８５０において、被処理水は消毒剤と接触し、消毒剤によって被処理水が消毒される。消毒された水は、放流口８０４を通じて、排水処理装置８００の外部へ放流される。
【００４１】
一時的に大量の排水が排水処理装置８００に流入した場合には（例えば、ピーク流入時）、放流エアリフトポンプ８７０よりも上流側の水処理槽８１０、８２０、８３０、８４０の水位ＷＬは、一時的に、通常時の水位（図中の低水位ＬＷＬ）よりも上昇し得る。図２の実施例では、水位ＷＬは、高水位ＨＷＬまで、上昇し得る。水位ＷＬが高水位ＨＷＬを超えると、消毒槽８５０に設けられた図示しないオーバーフロー開口を通じて、処理水槽８４０から消毒槽８５０へ水がオーバーフローする。このように、通常の使用状態では、最も高い水位ＷＬは、高水位ＨＷＬである。このような高水位ＨＷＬは、設計上の最高水位ということができる。なお、単位時間当たりの流入水量が想定された範囲を超える場合には、一時的に水位が高水位ＨＷＬよりも高い位置まで上昇し得る。
【００４２】
このように、ピーク流入時には、複数の水処理槽８１０、８２０、８３０、８４０の水位が一時的に上昇することによって、接触曝気槽８３０からの単位時間当たりの流出量の増大が抑制される。この結果、接触曝気槽８３０から未処理の水が流出する可能性を低減できる。このように、放流エアリフトポンプ８７０は、ピーク流入に起因する接触曝気槽８３０からの単位時間当たりの流出量の増大を抑制する機構（「ピークカット機構」と呼ぶ）として、動作する。
【００４３】
図５は、流入バッフル９００の説明図である。図中の方向Ｘ、Ｙ、Ｚは、流入バッフル９００を排水処理装置８００の夾雑物除去槽８１０に取り付けた状態での方向Ｘ、Ｙ、Ｚ（図２〜図４）を示している。低水位ＬＷＬと高水位ＨＷＬとは、流入バッフル９００が夾雑物除去槽８１０に取り付けられた場合の水位ＬＷＬ、ＨＷＬ（図２、図４）の位置を示している。図５（Ａ）は、上方から下方（すなわち、−Ｚ方向）を向いて流入バッフル９００を見た上面図であり、図５（Ｂ）〜図５（Ｅ）は、互いに異なる水平方向を向いて流入バッフル９００を見た側面図であり、図５（Ｆ）は、斜め上方向を向いて流入バッフル９００を見た斜視図である。また、図５（Ｇ）は、図５（Ａ）と同じ上面図である。
【００４４】
流入バッフル９００は、流入バッフル９００の底を塞ぐ底壁部９５０と、底壁部９５０から上方側に向かって延びる側壁部９１０、９２０、９３０、９４０と、を有している。４つの側壁部９１０、９２０、９３０、９４０は、それぞれ、＋Ｘ方向側、−Ｙ方向側、−Ｘ方向側、＋Ｙ方向側の側壁である。これらの側壁部９１０、９２０、９３０、９４０は、上方側から下方側へ延びる流路９９０を形成する筒状の壁部を形成する。
【００４５】
図５（Ｅ）に示すように、第３側壁部９３０は、第３側壁部９３０の上部に位置する流入口９３２を形成している。流入口９３２には、流入管を接続するための管状の流入ソケット８９２（図２）が挿入される。流入ソケット８９２は、槽本体８０１の流入口８０２と流入バッフル９００の流入口９３２とを貫通した状態で、槽本体８０１に固定されている。すなわち、流入ソケット８９２は、流入口９３２を貫通した状態で、流入口９３２に接続されている、と言うことができる。この流入ソケット８９２を通じて、流入バッフル９００に排水が導かれる。
【００４６】
図５（Ｂ）に示すように、第２側壁部９２０は、第２側壁部９２０の下端に位置する流出口９２２を形成している。また、図５（Ｄ）に示すように、第４側壁部９４０は、第４側壁部９４０の下端に位置する流出口９４２を形成している。流入口９３２を通じて流入する排水は、側壁部９１０、９２０、９３０、９４０によって下方側に導かれ、そして、流出口９２２、９４２から夾雑物除去槽８１０内に流出する。このように、流入バッフル９００の流出口９２２、９４２は、底壁部９５０には設けられずに、側壁部９２０、９４０に設けられている。従って、流入バッフル９００から流出する水は、下方（−Ｚ方向）ではなく、おおよそ水平方向（ここでは、＋Ｙ方向と−Ｙ方向）に向かって、流出する。
【００４７】
図５（Ｃ）に示すように、第１側壁部９１０は、第１側壁部９１０の上部に位置する開口９１２を形成している。この開口９１２には、第２移流管８６３（図２）が挿入されている。
【００４８】
図６は、流入バッフル９００の断面図である。図６（Ａ）は、図５（Ａ）、図５（Ｃ）のＡ−Ａ断面を示している。Ａ−Ａ断面は、Ｙ方向に垂直な断面であり、側壁部９１０、９３０のおおよそ中央を通る断面である。図中の矢印ＦＬは、水の流れを示している。図示するように、第１側壁部９１０は、流路９９０の内側に向かって（ここでは、−Ｘ側に向かって）突出した部分である棚部９１４を有している。棚部９１４は、底壁部９５０の＋Ｘ側の端部から、上方側に向かって延びている。
【００４９】
棚部９１４の上端部分は、流入口９３２の下端よりも低い位置に設けられた段部９１６を形成している。この段部９１６では、流路９９０の内面を上方側から下方側に辿る場合に、内面が、流路９９０の内側に向かって階段状に隆起している。本実施例では、段部９１６は、３つの部分９１６ａ、９１６ｂ、９１６ｃを有している。第２部分９１６ｂは、おおよそ水平に（ここでは、Ｘ方向におおよそ平行に）延びる部分である。第１部分９１６ａは、第２部分９１６ｂの＋Ｘ側の部分から上方側に向かって曲がる部分である。第３部分９１６ｃは、第２部分９１６ｂの−Ｘ側の部分から下方側に向かって曲がる部分である。第２部分９１６ｂの内面９１６ｓは、上方側を向いている。
【００５０】
図５（Ａ）には、下方（すなわち、−Ｚ方向）を向いて見た場合の、流入口９３２と段部９１６の内面９１６ｓとの位置関係が示されている。図中では、内面９１６ｓにハッチングが付されている。図示するように、下方を向いて見る場合に、段部９１６では、流路９９０の内面が流路９９０の内側に向かって隆起している。また、段部９１６の内面９１６ｓは、流入口９３２とは反対側に配置されている。従って、図６（Ａ）に示すように、流入口９３２を通じて流入する排水（ここでは、流入ソケット８９２を通じて流入する排水）が流出口９２２、９４２に至る前に、水の流れが内面９１６ｓによって受けられる可能性が高い。内面９１６ｓは、下方側に移動する水の流れを内面９１６ｓで受けることによって、水の流れを内面９１６ｓ上の位置から鉛直下方向とは異なる方向（例えば、−Ｘ方向、＋Ｙ方向、−Ｙ方向など）に向かわせる。これにより、下方側に移動する水の勢いを内面９１６ｓによって緩和することができる。この結果、流出口９２２、９４２から流出する水の勢いが緩和されるので、夾雑物除去槽８１０内がかき乱されることを抑制できる。例えば、夾雑物除去槽８１０の底部に堆積した汚泥が撹拌されることを抑制できる。また、夾雑物除去槽８１０内の水面ＷＬの近傍に形成されたスカムが破砕されることを抑制できる。
【００５１】
また、流出口９２２、９４２から流出する水の勢いが緩和されるので、流出口９２２、９４２から、空気を伴う水（気液混合水）が夾雑物除去槽８１０に流入することが抑制される。この結果、流出口９２２、９４２から夾雑物除去槽８１０へ流入した空気が水面ＷＬに浮上してスカムを破砕することを抑制できる。
【００５２】
また、段部９１６の内面９１６ｓは、高水位ＨＷＬよりも低い位置に配置されている。また、段部９１６の内面９１６ｓは、流入口９３２よりも低い位置に配置されている。従って、内面９１６ｓは、流入バッフル９００に水が流入することによって流路９９０内を下方側に移動する水の勢いを、適切に緩和できる。
【００５３】
図５（Ｇ）には、図５（Ａ）と同じ上面図が示されている。図中には、投影範囲ＰＲが、ハッチングで示されている。この投影範囲ＰＲは、流入口９３２を＋Ｘ方向に投影する場合の投影された流入口９３２に重なり得る範囲を示している。流入口９３２の投影方向は、下方を向いて見る場合に、流入口９３２に接続される管である流入ソケット８９２の延びる方向、すなわち、流入ソケット８９２の中心軸に平行な方向と同じである（ここでは、＋Ｘ方向）。流入ソケット８９２を流れる水の移動方向は、流入ソケット８９２の延びる方向とおおよそ同じである。従って、下方を向いて見る場合に、流入ソケット８９２から流入バッフル９００の流路９９０内に流入する水は、主に、この投影範囲ＰＲ内で流入ソケット８９２の延びる方向（ここでは、＋Ｘ方向）に向かって移動する。本実施例では、下方を向いて見る場合に、段部９１６の内面９１６ｓは、この投影範囲ＰＲ内に位置する部分を含んでいる。従って、水が流入口９３２を通過して流路９９０内に流入する場合に、段部９１６の内面９１６ｓは、流路９９０内に流入する水の流れを受け易い。この結果、段部９１６の内面９１６ｓによって、容易に、流路９９０内を下方側に移動する水の勢いを緩和できる。
【００５４】
また、本実施例では、段部９１６の内面９１６ｓは、投影範囲ＰＲの投影方向に垂直な方向の一端ＰＲｅ１から他端ＰＲｅ２まで延びる部分を含んでいる。従って、内面９１６ｓは、流入口９３２の種々の位置を通る水の流れを、適切に受けることができる。
【００５５】
また、流入ソケット８９２を通って勢いの強い水が流入する場合（例えば、ピーク流入時）、図６（Ａ）に示すように、流入口９３２に対向する第１側壁部９１０が流入した水の流れを受け、そして、第１側壁部９１０に沿って水が下方側に移動する。本実施例では、図５（Ｇ）のように下方を向いて見る場合に、段部９１６は、流入口９３２に対向する第１側壁部９１０の投影範囲ＰＲ内の部分に設けられている。従って、段部９１６の内面９１６ｓは、第１側壁部９１０に沿って下方側に移動する水の流れを容易に受けることができる。従って、段部９１６は、流路９９０内を下方側に移動する水の勢いを容易に緩和できる。
【００５６】
また、内面９１６ｓは、流路９９０の内側に向かって階段状に隆起する段部９１６によって形成されている。従って、内面９１６ｓを有する板を流路９９０の内面に固定する場合と比べて、内面９１６ｓを容易に形成できる。また、第１側壁部９１０は、このように立体的に隆起する段部９１６を有しているので、第１側壁部９１０の全体が平らな板である場合と比べて、第１側壁部９１０、ひいては、流入バッフル９００の強度を向上できる。
【００５７】
図６（Ｂ）は、図５（Ａ）、図５（Ｂ）、図５（Ｄ）のＢ−Ｂ断面を示している。Ｂ−Ｂ断面は、Ｘ方向に垂直な断面であり、側壁部９２０、９４０のおおよそ中央を通る断面である。図示するように、第２側壁部９２０は、流路９９０の内側に向かって（ここでは、＋Ｙ側に）突出する突出部９２６を有している。図５（Ａ）に示す内面９２６ｓは、突出部９２６の上方側の内面を示している（内面９２６ｓには、ハッチングが付されている）。このように、下方を向いて見る場合に、突出部９２６は、流路９９０の内側に向かって突出している。そして、この突出部９２６の内面９２６ｓは、上方側を向いている。また、図５（Ｂ）、図５（Ｆ）、図６（Ｂ）に示すように、突出部９２６は、流出口９２２の上端を成す辺の全体を形成している（図５（Ｆ）では、流出口９２２にハッチングが付されている）。
【００５８】
図６（Ｂ）に示すように、第４側壁部９４０は、流路９９０の内側に向かって（ここでは、−Ｙ側に）突出する突出部９４６を有している。第４側壁部９４０の突出部９４６と流出口９４２との形状と、第２側壁部９２０の突出部９２６と流出口９２２との形状とは、Ｙ方向に垂直な平面を対称面とする鏡像の関係にある。すなわち、下方を向いて見る場合に、突出部９４６は、流路９９０の内側に向かって突出している。そして、この突出部９４６の内面９４６ｓは、上方側を向いている（図５（Ａ）では、内面９４６ｓにハッチングが付されている）。また、図５（Ｄ）に示すように、突出部９４６は、流出口９４２の上端を成す辺の全体を形成している。
【００５９】
このように、下方を向いて見る場合に、第２側壁部９２０と第４側壁部９４０との突出部９２６、９４６は、それぞれ、流路９９０の内側に向かって突出している。従って、図６（Ｂ）に示すように、流入口９３２を通じて流入する排水が流出口９２２、９４２に至る前に、突出部９２６、９４６の内面９２６ｓ、９４６ｓは、下方側に移動する水の流れを受けることができる。内面９２６ｓ、９４６ｓは、下方側に移動する水の流れを内面９２６ｓ、９４６ｓで受けることによって、水の流れを内面９２６ｓ、９４６ｓ上の位置から鉛直下方向とは異なる方向（例えば、Ｙ方向に平行な方向）に向かわせる。これにより、下方側に移動する水の勢いを、内面９２６ｓ、９４６ｓによって緩和することができる。この結果、流出口９２２、９４２から流出する水の勢いが緩和されるので、夾雑物除去槽８１０内がかき乱されることを抑制できる。
【００６０】
また、図５（Ｂ）、図５（Ｄ）に示すように、突出部９２６、９４６は、段部９１６よりも低い位置に設けられている。従って、流入口９３２を通じて流入し流出口９２２、９４２から流出する水の勢いは、段部９１６の内面９１６ｓと、突出部９２６、９４６の内面９２６ｓ、９４６ｓと、の両方によって、緩和され得る。従って、流出口９２２、９４２から流出する水の勢いを適切に緩和できる。
【００６１】
また、図５（Ａ）に示すように、突出部９２６は、流路９９０の−Ｙ側の側壁部９２０に形成され、突出部９４６は、＋Ｙ側の側壁部９４０に形成されている。また、段部９１６は、流路９９０の＋Ｘ側の側壁部９１０に形成されている。このように、突出部９２６、９４６の内面９２６ｓ、９４６ｓは、段部９１６の内面９１６ｓとは異なる方向側の側壁に形成されている。そして、図６（Ａ）、図６（Ｂ）に示すように、段部９１６の内面９１６ｓは、水の流れる方向を、内面９１６ｓから離れる方向（例えば、＋Ｙ方向や、−Ｙ方向や、−Ｘ方向）に変化させる。従って、図６（Ｂ）に示すように、段部９１６の内面９１６ｓによって勢いが緩和された後の水の勢いを、さらに、突出部９２６、９４６の内面９２６ｓ、９４６ｓのいずれかによって容易に緩和できる。
【００６２】
また、図５（Ａ）に示すように、下方を向いて見る場合に、第２側壁部９２０と第１側壁部９１０との接続部分は、外側に向かって凸となるように湾曲している。また、第２側壁部９２０と第３側壁部９３０との接続部分も、外側に向かって凸となるように湾曲している。そして、突出部９２６は、第２側壁部９２０の内面と、湾曲した接続部分の内面と、に接続されている。従って、突出部９２６が平らな内面のみに接続されている場合と比べて、突出部９２６の強度を向上できる。突出部９４６についても、同様である。
【００６３】
また、図５、図６に示すように、流入バッフル９００の壁部９１０〜９５０は、水平な断面での流路９９０の断面積が下方に向かって連続的に小さくなるテーパ構造を有している。従って、成形型を用いて流入バッフル９００を容易に成形できる。例えば、１回の成形（例えば、ハンドレイアップ成形、スプレーアップ成形、射出成形、ブロー成形など）で流入バッフル９００の全体を成形した後に、容易に離型できる。なお、流入バッフル９００の材料としては、ポリプロピレン、ポリエチレン、繊維強化プラスチック（FRP）、ジシクロペンタジエン等の種々の樹脂を採用可能である。また、樹脂とは異なる他の材料を採用してもよい（例えば、金属、セラミックなど）。
【００６４】
また、流出口９２２、９４２は、底壁部９５０ではなく、側壁部９２０、９４０に形成されている。従って、水が流入バッフル９００から下方に向かって流出することを抑制できるので、夾雑物除去槽８１０の底部に堆積した汚泥がかき乱されることを抑制できる。また、底壁部９５０が、下方側に移動する水の流れを受けることによって水の流れの勢いを緩和できるので、流出口９２２、９４２から流出する水の勢いを緩和できる。
【００６５】
また、図５（Ｂ）、図５（Ｄ）、図６（Ｂ）に示すように、突出部９２６は、流出口９２２の上端を形成し、突出部９４６は、流出口９４２の上端を形成している。従って、上方側から下方側に向かって流れる水が、突出部９２６、９４６の内面９２６ｓ、９４６ｓによって勢いが緩和されることなく直接的に流出口９２２、９４２から流出することを、抑制できる。
【００６６】
Ｂ．阻流部の効果について：
本願の発明者らは、シミュレーションを用いて、下方側に移動する水の流れを受ける阻流部（例えば、図５、図６の段部９１６と突出部９２６、９４６）の効果を検討した。まず、段部９１６の効果について検討し、次に、突出部９２６、９４６の効果について検討する。
【００６７】
Ｂ１．段部９１６の効果について：
図７は、シミュレーションの説明図である。このシミュレーションでは、夾雑物除去槽と流入バッフルとに相当するモデル槽ＭＴ１を準備し、そのモデル槽ＭＴ１を用いて、流入バッフルを通って夾雑物除去槽に水が流入する際の、夾雑物除去槽内における水の流速を計算した。このシミュレーションは、数値流体力学解析ソフト「ANSYS Fluent 14.0（「ANSYS」と「Fluent」とは、アンシス社の商標）」を用いて行われている。水の物性としては、 ANSYS Fluent 14.0で予め準備されている標準的な水の物性を採用している。
【００６８】
図７（Ａ）は、モデル槽ＭＴ１の斜視図である。図中の、Ｘ方向、Ｙ方向、Ｚ方向は、図２〜図６に示す同じ名前の方向に、それぞれ対応している。このモデル槽ＭＴ１では、夾雑物除去槽と流入バッフルとが簡略化して再現されている。図中の部分９００ｍａは、流入バッフルに対応し、部分８１０ｍは、夾雑物除去槽（流入バッフルに含まれる部分を除いた残りの部分）に対応する（以下、「流入バッフル９００ｍａ」、「夾雑物除去槽８１０ｍ」と呼ぶ）。なお、図中には、モデル槽ＭＴ１のうち＋Ｙ側の半分の部分が示されている。−Ｙ側の半分の部分の図示を省略するが、モデル槽ＭＴ１の構成は、Ｙ方向に垂直な面Ｐｓを対称面とする面対称である。
【００６９】
夾雑物除去槽８１０ｍの形状は、図２、図３の夾雑物除去槽８１０のように、角が丸められ、そして、リブ（内側に向かって突出する部分）を有する形状である。この夾雑物除去槽８１０ｍの上部に、流入バッフル９００ｍａが配置されている。流入バッフル９００ｍａのＹ方向の位置は、夾雑物除去槽８１０ｍ内の中央の位置である（図７（Ａ）では、対称面Ｐｓに接する位置）。流入バッフル９００ｍａのＸ方向の位置は、夾雑物除去槽８１０ｍ内の−Ｘ側の端の位置である。
【００７０】
モデル槽ＭＴ１の上面（＋Ｚ側の面）は、水面に対応する。夾雑物除去槽８１０ｍの底からの水面の高さＨＷは、１１５０ｍｍであった。この水面の高さＨＷは、例えば、図２の低水位ＬＷＬの高さとして採用可能である。また、夾雑物除去槽８１０ｍの底からの流入バッフル９００ｍａの下端の高さＨｂは、９００ｍｍであった。
【００７１】
このシミュレーションでは、モデル槽ＭＴ１の全体に水が満たされていることと仮定している。各処理槽８１０ｍ、９００ｍの境界面では、境界面を通り抜けるような水の移動が無いことと仮定している。水の流入は、流入バッフル９００ｍａ内の水面上に設けられた流入領域Ａｉから下方（−Ｚ方向）に向かって均等に行われることとした。水の流出は、夾雑物除去槽８１０ｍの＋Ｘ側の面の上部に設けられた流出領域Ａｏａから行われることとした。流出領域Ａｏａは、水面から−Ｚ方向に向かって延びる矩形領域である。
【００７２】
シミュレーションでは、流入バッフル９００ｍａを含む４種類の流入バッフルが用いられた。図７（Ｂ）〜図７（Ｅ）は、４種類の流入バッフルの斜視図である。図７（Ｂ）〜図７（Ｅ）には、流入バッフルの＋Ｙ側の半分の部分が示されている。以下、この半分の部分の構成について説明する。図示と説明とを省略するが、−Ｙ側の半分の部分の構成は、＋Ｙ側の半分の部分の構成と、同じである。
【００７３】
第１流入バッフル９００ｍａ（図７（Ｂ））は、水平な断面形状が多角形であり上方側から下方側に向かって延びる筒形状のバッフルである。水平な断面積は、下方側に向かって徐々に小さくなる。この流入バッフル９００ｍａの水平な方向側の壁部である側壁部９１０ｍａには流出口が設けられず、そして、下方側の壁部である底壁部が省略されている。これにより、流入バッフル９００ｍａの底は、開いた流出口ＯＰａを形成している。シミュレーションの結果、流出口ＯＰａからは、おおよそ下方（−Ｚ方向）に向かって、水が流出した。この理由は、流入領域Ａｉから下方に向かって流入した水が、そのまま、流入バッフル９００ｍａの底の流出口ＯＰａから下方側に向かって流出するからである。
【００７４】
第２流入バッフル９００ｍｂ（図７（Ｃ））は、第１流入バッフル９００ｍａの底を底壁部９５０ｍｂによって閉じ、そして、側壁部９１０ｍａの＋Ｙ側の部分の下部に流出口ＯＰｂを設けて得られるバッフルである。流出口ＯＰｂの形状は、直径が１００ｍｍの円形状である。この流出口ＯＰｂは、底壁部９５０ｍｂ（すなわち、底面）から上方に離れた位置に配置されている。流入領域Ａｉから流入した水は、流入バッフル９００ｍｂの底面によって勢いが緩和された後に、流出口ＯＰｂから流出する。シミュレーションの結果、流出口ＯＰｂからは、水平方向から若干上方に向けて傾斜した方向（すなわち、水面に向かう方向）に向かって、水が流出した。この理由は、底面から流出口ＯＰｂに向かう方向が、水平方向から若干上方に向けて傾斜した方向であるからである。
【００７５】
第３流入バッフル９００ｍｃ（図７（Ｄ））は、第２流入バッフル９００ｍｂ（図７（Ｃ））の流出口ＯＰｂを矩形の流出口ＯＰｃに置換して得られるバッフルである。流出口ＯＰｃの形状は、１２５ｍｍ×１２５ｍｍの矩形状である。第２流入バッフル９００ｍｂの流出口ＯＰｂとは異なり、流出口ＯＰｃの下辺は、側壁部９１０ｍａの下辺（すなわち、第３流入バッフル９００ｍｃの底面）に重なっている。シミュレーションの結果、流出口ＯＰｃからは、水平方向から若干下方に向けて傾斜した方向に向かって、水が流出した。流出口ＯＰｃから流出する水の下方に向かう勢いは、第１流入バッフル９００ｍａを用いる場合と比べて緩和されていた。この理由は、流入領域Ａｉから下方に向かって流入した水の勢いが、底壁部９５０ｍｂによって緩和されるからである。
【００７６】
第４流入バッフル９００ｍｄ（図７（Ｅ））は、第３流入バッフル９００ｍｃ（図７（Ｄ））の流入領域Ａｉの下方に阻流板ＰＰを設けて得られるバッフルである。阻流板ＰＰは、側壁部９１０ｍａの＋Ｘ側の部分から−Ｘ方向に向かって突出する板を模する平面であり、Ｘ方向の長さは、４８ｍｍであった。シミュレーションでは、この阻流板ＰＰを通り抜ける水の移動が無いこととした。上方から下方を向いて見る場合、流入領域Ａｉの全体が、阻流板ＰＰに重なっている。この阻流板ＰＰは、図５の段部９１６を想定して設けられている。シミュレーションの結果、流出口ＯＰｃからは、ほぼ水平な方向に向かって、水が流出した。また、第３流入バッフル９００ｍｃを用いる場合と比べて、流出口ＯＰｃから流出する水の流速は、小さかった。この理由は、阻流板ＰＰによって水の勢いが緩和されたからである。
【００７７】
シミュレーションでは、流入領域Ａｉから５９Ｌ／分で定常的に水が流入することとした。この水量は、浄化槽（例えば、５人槽〜１０人槽相当の浄化槽）の性能評価試験で用いられているピーク流入の水量と同じである。また、シミュレーションの準備の都合により、流出領域の形状は、流入バッフルの種類に応じて異なっている。第１流入バッフル９００ｍａと第２流入バッフル９００ｍｂとを利用する場合には、図７（Ａ）の流出領域Ａｏａ（第１流出領域Ａｏａと呼ぶ）が用いられた。第１流出領域Ａｏａは、Ｙ方向の長さが１５０ｍｍであり、Ｚ方向の長さが２２０ｍｍである矩形状の領域である。第３流入バッフル９００ｍｃと第４流入バッフル９００ｍｄとを利用する場合には、図７（Ａ）の第１流出領域Ａｏａの代わりに、図７（Ｆ）の第２流出領域Ａｏｂが用いられた。第２流出領域Ａｏｂは、第１流出領域Ａｏａと同様に、水面から−Ｚ方向に向かって延びる領域である。第２流出領域Ａｏｂは、Ｙ方向の長さが１１０ｍｍであり、Ｚ方向の長さが２２０ｍｍである矩形状の領域のうち、下方側の端部を１１０ｍｍの直径を有する半円によって丸めることによって得られる領域である。
【００７８】
なお、第１流出領域Ａｏａと第２流出領域Ａｏｂと間では、夾雑物除去槽８１０ｍの＋Ｘ側の面における位置は、同じである。また、第１流出領域Ａｏａと第２流出領域Ａｏｂとのいずれも、流入水量に対して十分に大きい。従って、第１流出領域Ａｏａと第２流出領域Ａｏｂとの間の違いがシミュレーション結果に与える影響は、十分に小さいと推定される。
【００７９】
図８は、夾雑物除去槽８１０ｍの底面からの高さＨと最大流速Ｖｍとの関係を示すグラフである。横軸は、高さＨ（単位は、ｃｍ）を示し、縦軸は、最大流速Ｖｍ（単位は、ｃｍ／秒）を示している。このグラフは、シミュレーションによって得られた計算結果を示している。最大流速Ｖｍは、夾雑物除去槽８１０ｍの底面からの高さが高さＨである水平な面上における最大の流速である（流れの方向は問わない）。また、高さＨｂ（Ｈ＝９０ｃｍ）は、流入バッフルの下端の高さを示している。なお、グラフの凡例としては、流入バッフルの符号と流入バッフルの種類（特に、流出口の方向と阻流部（ここでは、阻流板ＰＰ）の有無）とが示されている。後述する他のグラフでも、同様の凡例を用いた。
【００８０】
図示するように、流入バッフルの下端の高さＨｂから遠いほど、すなわち、高さＨが低いほど、最大流速Ｖｍが小さかった。この理由は、流入バッフルの下端から遠い位置では、流入バッフルから流出した水が広い範囲に分散されているので、流入バッフルの下端から遠いほど水の流れの勢いが弱くなるからだと推定される。
【００８１】
また、４種類の流入バッフルの間で最大流速Ｖｍを比較すると、最大流速Ｖｍの大きい順番は、高さＨに依らずに、流入バッフル９００ｍａ、９００ｍｃ、９００ｍｂ、９００ｍｄの順番であった。第１流入バッフル９００ｍａの最大流速Ｖｍが大きい理由は、第１流入バッフル９００ｍａには、底壁部９５０ｍｂも阻流板ＰＰも設けられておらず、故に、第１流入バッフル９００ｍａ内を下方側に向かって移動する水の勢いが緩和されずに、流出口ＯＰａから下方に向かって水が流出するからである。
【００８２】
第２流入バッフル９００ｍｂの最大流速Ｖｍが第３流入バッフル９００ｍｃの最大流速Ｖｍよりも小さい理由は、以下の通りである。上述したように、第２流入バッフル９００ｍｂの流出口ＯＰｂからは、水平方向から若干上方に向けて傾斜した方向に向かって、水が流出した。一方、第３流入バッフル９００ｍｃの流出口ＯＰｃからは、水平方向から若干下方に向けて傾斜した方向に向かって、水が流出した。以上により、流入バッフルの下端の高さＨｂよりも低い位置では、第３流入バッフル９００ｍｃよりも第２流入バッフル９００ｍｂを用いる方が、流速を小さくできる。
【００８３】
第４流入バッフル９００ｍｄの最大流速Ｖｍが第３流入バッフル９００ｍｃの最大流速Ｖｍよりも小さい理由は、阻流板ＰＰによって水の流れの勢いが緩和されるからである。特に、流入バッフルの下端の高さＨｂから１０ｃｍ低い位置（Ｈ＝８０ｃｍ）において、第４流入バッフル９００ｍｄの最大流速Ｖｍは、２．８ｃｍ／秒であったが、第３流入バッフル９００ｍｃの最大流速Ｖｍは、７．４ｃｍ／秒であった。
【００８４】
図９は、流出口での最大流速Ｖｏを示すグラフである（単位は、ｃｍ／秒。流れの方向は問わない）。このグラフは、上述の４種類の流入バッフル９００ｍａ〜９００ｍｄを用いた４つのシミュレーションの計算結果を示している。最大流速Ｖｏの大きい順番は、流入バッフル９００ｍａ、９００ｍｃ、９００ｍｂ、９００ｍｄの順番であった。第２流入バッフル９００ｍｂと第３流入バッフル９００ｍｃとの間では、最大流速Ｖｏは、おおよそ同じであった。第１流入バッフル９００ｍａの最大流速Ｖｏと比べて、流入バッフル９００ｍｂ、９００ｍｃの最大流速Ｖｏが小さい理由は、底壁部９５０ｍｂによって水の流れの勢いが緩和されるからである。流入バッフル９００ｍｂ、９００ｍｃの最大流速Ｖｏと比べて、第４流入バッフル９００ｍｄの最大流速Ｖｏが小さい理由は、阻流板ＰＰによって水の流れの勢いが緩和されるからである。特に、図９に示すように、阻流板ＰＰを用いることによって、最大流速Ｖｏは、おおよそ半分に低減している。このように、阻流板ＰＰを用いることによって、流入バッフルから流出する水の勢いを大幅に緩和できる。例えば、図５の実施例では、段部９１６の内面９１６ｓによって、流入バッフル９００から流出する水の勢いを大幅に緩和できると推定される。
【００８５】
Ｂ２．突出部９２６、９４６の効果について：
図１０は、シミュレーションの説明図である。このシミュレーションでは、夾雑物除去槽と流入バッフルとに相当するモデル槽ＭＴ２を準備し、そのモデル槽ＭＴ２を用いて、流入バッフルを通って夾雑物除去槽に水が流入する際の、夾雑物除去槽内における水の流速を計算した。図７で説明したシミュレーションとの差異は、モデル槽ＭＴ２の形状、すなわち、流入バッフルに対応する部分（図１０（Ａ）では、部分９００ｍｅ）の形状と、夾雑物除去槽に対応する部分（図１０（Ａ）では、部分８１０ｍ２）の形状とが、図７で説明したモデル槽ＭＴ１の対応する部分の形状と、異なっている点だけである。シミュレーションの方法は、図７で説明したシミュレーションの方法と同じである。
【００８６】
図１０（Ａ）は、モデル槽ＭＴ２の斜視図である。図中の、Ｘ方向、Ｙ方向、Ｚ方向は、図２〜図６に示す同じ名前の方向に、それぞれ対応している。このモデル槽ＭＴ２では、夾雑物除去槽と流入バッフルとが簡略化して再現されている。図中の部分８１０ｍ２は、夾雑物除去槽に対応し、部分９００ｍｅは、流入バッフルに対応する（以下、「夾雑物除去槽８１０ｍ２」、「流入バッフル９００ｍｅ」と呼ぶ）。なお、図中には、モデル槽ＭＴ２のうち＋Ｙ側の半分の部分が示されている。−Ｙ側の半分の部分の図示を省略するが、モデル槽ＭＴ２の構成は、Ｙ方向に垂直な面Ｐｓ２を対称面とする面対称である。
【００８７】
夾雑物除去槽８１０ｍ２の形状は、図２、図３の夾雑物除去槽８１０のように、角が丸められ、そして、リブを有する形状である。流入バッフル９００ｍｅは、この夾雑物除去槽８１０ｍ２の上部の、Ｙ方向の中央の位置（図１０（Ａ）では、対称面Ｐｓ２に接する位置）であって、−Ｘ側の端の位置に、配置されている。モデル槽ＭＴ２の上面（＋Ｚ側の面）は、水面に対応する。夾雑物除去槽８１０ｍ２の底からの水面の高さＨＷは、図７の例と同じ１１５０ｍｍであった。また、夾雑物除去槽８１０ｍ２の底からの流入バッフル９００ｍｅの下端の高さＨｂ１は、７００ｍｍであった。流入領域Ａｉ２は、流入バッフル９００ｍｅ内の水面上に設けられている。この流入領域Ａｉ２から、下方（−Ｚ方向）に向かって均等に、５９Ｌ／分で定常的に水が流入することとした。流出領域Ａｏ２は、Ｙ方向に並んで配置された３個の円領域である（図１０（Ａ）では、＋Ｙ側の半分の部分が示されている）。各円領域の直径は、７７ｍｍであった。また、夾雑物除去槽８１０ｍ２の底からの各円領域の中心の高さは、６５０ｍｍであった。
【００８８】
シミュレーションでは、流入バッフル９００ｍｅを含む３種類のバッフルが用いられた。図１０（Ｂ）〜図１０（Ｄ）は、３種類の流入バッフルの透視図である。図１０（Ｂ）〜図１０（Ｄ）には、流入バッフルの＋Ｙ側の半分の部分が示されている。以下、この半分の部分の構成について説明する。図示と説明とを省略するが、−Ｙ側の半分の部分の構成は、＋Ｙ側の半分の部分の構成と、同じである。
【００８９】
第５流入バッフル９００ｍｅ（図１０（Ｂ））は、水平な断面形状が多角形であり上方側から下方側に向かって延びる筒形状のバッフルである。水平な断面積は、下方側に向かって徐々に小さくなる。この流入バッフル９００ｍｅの水平な方向側の壁部である側壁部９１０ｍｅには流出口が設けられず、そして、下方側の壁部である底壁部が省略されている。これにより、流入バッフル９００ｍｅの底は、開いた流出口ＯＰｅを形成している。図中では、流出口ＯＰｅにハッチングが付されている。図７（Ｂ）の第１流入バッフル９００ｍａを用いる場合と同様に、流出口ＯＰｅからは、おおよそ下方（−Ｚ方向）に向かって、水が流出した。この流入バッフル９００ｍｅのＺ方向の長さは、４５０ｍｍであった。
【００９０】
第６流入バッフル９００ｍｆ（図１０（Ｃ））は、第５流入バッフル９００ｍｅの側壁部９１０ｍｅのうち＋Ｘ側の部分ｍｘ１と−Ｘ側の部分ｍｘ２とを下方側に延長し、そして、延長済の部分ｍｘ１Ｌ、ｍｘ２Ｌの下端に第６流入バッフル９００ｍｆの底を閉じる底壁部９５０ｍｆを接続して得られるバッフルである。側壁部９１０ｍｅの＋Ｙ側の部分ｍｘ３は延長されておらず、この部分ｍｘ３の下端と、底壁部９５０ｍｆとの間には、＋Ｙ側を向く流出口ＯＰｆが形成されている。図中では、流出口ＯＰｆにハッチングが付されている。流出口ＯＰｆのＺ方向の幅は、８０ｍｍであった。シミュレーションの結果、流出口ＯＰｆからは、斜め下方に向かって、水が流出した。流出口ＯＰｆから流出する水の下方に向かう勢いは、第５流入バッフル９００ｍｅを用いる場合と比べて緩和されていた。この理由は、流入領域Ａｉ２から下方に向かって流入した水の勢いが、底壁部９５０ｍｆによって緩和されるからである。
【００９１】
第７流入バッフル９００ｍｇ（図１０（Ｄ））は、第６流入バッフル９００ｍｆ（図１０（Ｃ））の流出口ＯＰｆの上端に、流路の内側に向かって突出する突出部ＰＱが形成されている点だけである。突出部ＰＱは、側壁部９１０ｍｅの＋Ｙ側の部分ｍｘ３の下端、すなわち、流出口ＯＰｆの縁のうち上方側の辺の全体から、−Ｙ方向に向かって突出する板を模する平面である。−Ｙ方向の突出長は、２０ｍｍであった。この突出部ＰＱは、図５の突出部９４６を想定して設けられている。シミュレーションの結果、流出口ＯＰｆからは、ほぼ水平な方向に向かって、水が流出した。流出する水の下方（−Ｚ方向）の流速は、第６流入バッフル９００ｍｆを用いる場合と比べて、小さかった。この理由は、突出部ＰＱによって水の下方（−Ｚ方向）の勢いが緩和されたからである。
【００９２】
図１１は、夾雑物除去槽８１０ｍ２の底面からの高さＨと最大流速Ｖｍとの関係を示すグラフである。横軸は、高さＨ（単位は、ｃｍ）を示し、縦軸は、最大流速Ｖｍ（単位は、ｃｍ／秒）を示している。このグラフは、シミュレーションによって得られた計算結果を示している。高さＨと最大流速Ｖｍとの意味は、図８の高さＨと最大流速Ｖｍとの意味と、それぞれ同じである。また、第１高さＨｂ１（Ｈ＝７０ｃｍ）は、第５流入バッフル９００ｍｅの下端の高さを示し、第２高さＨｂ２（Ｈ＝６２ｃｍ）は、第６流入バッフル９００ｍｆと第７流入バッフル９００ｍｇの下端の高さを示している。
【００９３】
図８の例と同様に、流入バッフルの下端の高さＨｂ１、Ｈｂ２から遠いほど、すなわち、高さＨが低いほど、最大流速Ｖｍが小さかった。また、３種類の流入バッフルの間で最大流速Ｖｍを比較すると、最大流速Ｖｍの大きい順番は、高さＨに依らず、流入バッフル９００ｍｅ、９００ｍｆ、９００ｍｇの順番であった。第５流入バッフル９００ｍｅの最大流速Ｖｍが大きい理由は、第５流入バッフル９００ｍｅには、底壁部９５０ｍｆも突出部ＰＱも設けられておらず、故に、第５流入バッフル９００ｍｅ内を下方側に向かって移動する水の勢いが緩和されずに、流出口ＯＰｅから下方に向かって水が流出するからである。
【００９４】
第７流入バッフル９００ｍｇの最大流速Ｖｍが、第６流入バッフル９００ｍｆの最大流速Ｖｍよりも小さい理由は、突出部ＰＱによって水の流れの勢いが緩和されるからである。特に、流入バッフルの下端の高さＨｂ２から２ｃｍ低い位置（Ｈ＝６０ｃｍ）において、第７流入バッフル９００ｍｇの最大流速Ｖｍは、４．９ｃｍ／秒であったが、第６流入バッフル９００ｍｆの最大流速Ｖｍは、６．４ｃｍ／秒であった。
【００９５】
以上、図７〜図９のシミュレーション結果と、図１０、図１１のシミュレーション結果と、について説明した。モデル槽の詳細な形状と寸法との説明を省略したが、図７〜図９で比較された４種類のモデル槽の間では、流出口ＯＰａ〜ＯＰｃの構成と阻流板ＰＰの有無とが異なるものの、流入バッフル９００ｍａ〜９００ｍｄの形状と寸法と夾雑物除去槽８１０ｍの形状と寸法とは、共通である。従って、４種類のシミュレーション結果の間の差は、流出口ＯＰａ〜ＯＰｃの構成と阻流板ＰＰの有無とによって生じている。そして、阻流板ＰＰを採用することによって最大流速Ｖｍと最大流速Ｖｏとが小さくなる効果は、流入バッフルの流路内で阻流板ＰＰが水の流れの勢いを緩和することによって、得られている。従って、流入バッフルの形状と寸法と夾雑物除去槽の形状と寸法とを変更した場合にも、阻流板ＰＰを採用することによって最大流速Ｖｍと最大流速Ｖｏとを小さくできると推定される。図１０、図１１で比較された３種類のシミュレーション結果の間の差も、同様に、流出口ＯＰｅ、ＯＰｆの構成と突出部ＰＱの有無とによって生じている。従って、流入バッフルの形状と寸法と夾雑物除去槽の形状と寸法とを変更した場合にも、突出部ＰＱを採用することによって最大流速Ｖｍを小さくできると推定される。
【００９６】
以上のように、シミュレーションの結果、段部９１６（図５）に対応する阻流板ＰＰ、または、突出部９２６、９４６に対応する突出部ＰＱを用いることによって、流入バッフルから夾雑物除去槽に流入する水の勢いによって夾雑物除去槽内がかき乱されることを適切に抑制できた。阻流板ＰＰと突出部ＰＱとの両方を用いれば、さらに、水の勢いを緩和できると推定される。例えば、段部９１６と突出部９２６、９４６とを有する流入バッフル９００を採用すれば、夾雑物除去槽内がかき乱されることを更に抑制できると推定される。
【００９７】
Ｃ．変形例：
（１）下方側に移動する水の流れを受ける阻流部の構成としては、図５、図６に示す構成に代えて、他の種々の構成を採用可能である。例えば、突出部９２６が、流出口９２２から離れた位置に配置されてもよい。例えば、突出部９２６が、流出口９２２の上端よりも高い位置に配置されてもよい。突出部９４６についても同じである。また、対向して配置される２つの側壁部を繋ぐ橋状の阻流部を採用してもよい。例えば、図５に示す実施例において、第２側壁部９２０の内面から第４側壁部９４０の内面へ至る橋状の阻流部を採用してもよい。このような橋状の阻流部は、図５（Ｇ）の上面図において、投影範囲ＰＲ内に位置する部分を含んでいる。また、側壁部の内面に固定された板状の阻流部を採用してもよい。例えば、図５（Ａ）の実施例において、第２側壁部９２０と第３側壁部９３０とが接続される隅に、阻流部としての板を固定してもよい。ここで、板を、第２側壁部９２０と第３側壁部９３０との両方に固定すれば、板の強度を向上できる。また、阻流部に、１以上の貫通孔が形成されていてもよい。
【００９８】
いずれの場合も、阻流部は、上方側を向く内面を有することによって、下方側に移動する水の流れを受けることができる。ここで、上方側を向く内面としては、内面の法線ベクトルが鉛直上方向と厳密に一致しているような内面に加えて、法線ベクトルと鉛直上方向とが成す角度（「傾斜角度」と呼ぶ）が小さい内面を採用可能である。ここで、鉛直上方向は、流入バッフルが排水処理装置の水処理槽に取り付けられた場合の鉛直上方向である。傾斜角度は、例えば、４０度以下であることが好ましく、２０度以下であることが特に好ましく、１０度以下であることが更に好ましい（いずれの場合も、傾斜角度はゼロ度以上）。このように小さい傾斜角度を採用すれば、阻流部は、バッフルの流路内を下方側に移動する水の流れを内面で受けることによって、水の流れの勢いを適切に緩和できる。
【００９９】
また、上方側を向く内面を形成する阻流部が、バッフルの流路内を下方側に移動する水の流れを内面によって受けるためには、排水処理装置の設計上の最高水位の高さから下方（−Ｚ方向）を向いてバッフルを見る場合に、阻流部の上方側を向く内面の少なくとも一部が、バッフルの阻流部以外の部分に隠れずに視認可能な位置に配置されていることが好ましい。例えば、図５（Ａ）の例では、阻流部９１６、９２６、９４６の内面９１６ｓ、９２６ｓ、９４６ｓは、いずれも、下方を向いて見る場合に視認可能である。これは、高水位ＨＷＬの高さから下方を向いて見る場合にも、同じである。この構成によれば、阻流部は、バッフルの流路内を下方側に移動する水の流れを内面によって容易に受けることができる。ただし、下方を向いて見る場合に、阻流部の上方側を向く内面が、バッフルの阻流部以外の部分の下方に隠れていても良い。この場合にも、阻流部が省略される場合と比べて、阻流部は、水の流れの勢いを緩和できる。
【０１００】
また、阻流部の上方側を向く内面の鉛直方向の位置としては、流入バッフルが水処理槽に取り付けられた場合の水処理槽の設計上の最高水位の位置よりも低く、かつ、流入バッフルの流出口よりも高い範囲内の位置を採用することが好ましい。この構成によれば、阻流部は、流入バッフルの流路内を下方側に移動する水の勢いを適切に緩和できる。例えば、阻流部の内面が、低水位ＬＷＬよりも高い位置に配置されてもよい。いずれの場合も、バッフルが流入口を有する場合には、阻流部は、流入口よりも低い位置に配置されることが好ましい。
【０１０１】
（２）バッフルの構成としては、上述した構成に代えて、他の種々の構成を採用可能である。例えば、図５、図６の実施例において、段部９１６と突出部９２６と突出部９４６から任意に選択された、１つ、または、２つの部分を省略してもよい。また、２つの流出口９２２、９４２のいずれか一方が、塞がれていてもよい。また、突出部９２６が、流出口９２２の上端の一部のみを形成してもよい。例えば、流出口９２２の上端を成す辺のうち一部分のみに突出部が設けられていてもよい。また、段部９１６（ひいては、棚部９１４）が、第１側壁部９１０の＋Ｙ側の端から−Ｙ側の端まで延びていてもよい。すなわち、図６（Ａ）の断面形状が、第１側壁部９１０の＋Ｙ側の端から−Ｙ側の端まで、続いていてもよい。また、第２側壁部９２０と第３側壁部９３０と第４側壁部９４０との少なくとも１つが、段部９１６と同様の段部を有してもよい。また、第１側壁部９１０と第３側壁部９３０との少なくとも１つが、突出部９２６、９４６と同様の突出部を有しても良い。また、流入口９３２が省略されてもよい。この場合、流入バッフルは、上方側の開口（側壁部９１０〜９４０に囲まれる開口）から、水を受け入れてもよい。同様に、開口９１２が省略されてもよい。また、図７（Ｅ）の第４流入バッフル９００ｍｄのように、阻流板ＰＰを有する流入バッフルを採用してもよい。また、図１０（Ｄ）の第７流入バッフル９００ｍｇのように、突出部ＰＱを有する流入バッフルを採用してもよい。また、バッフルの底壁部に流出口が形成されてもよい。また、底壁部が省略されてもよい。
【０１０２】
また、バッフルの阻流部は、互いに離れた複数の上方側を向く内面を形成する複数の部分（「部分阻流部」と呼ぶ）を含むことが好ましい。この構成によれば、バッフルに設けられた阻流部の内面の総数が１つである場合と比べて、バッフルの流路内を下方側へ移動する水の勢いを、複数の部分阻流部の複数の内面によって適切に緩和できる。ここで、上方から下方（すなわち、−Ｚ方向）を向いて見る場合に、複数の部分阻流部が、互いに重ならない位置に配置される内面を有することが好ましい。例えば、図５（Ａ）の実施例では、３個の阻流部９１６、９２６、９４６は、互いに重ならない位置に配置される内面９１６ｓ、９２６ｓ、９４６ｓを有している。このような構成を採用すれば、複数の部分阻流部を適切に活用して、下方側へ移動する水の勢いを緩和できる。
【０１０３】
また、バッフルを構成する壁部（例えば、図５の壁部９１０〜９５０）は、バッフルの流路の水平な断面での断面積（「水平断面積」と呼ぶ）が下方に向かって変化せずに維持される部分を含んでもよい。一般的には、壁部は、水平断面積が下方に向かって、連続的に、または、階段状に、小さくなるように、構成されていることが好ましい。すなわち、壁部が、水平断面積が下方に向かって大きくなる部分を含まないように構成されていることが好ましい。この場合、壁部は、水平断面積が下方に向かって小さくなる部分で構成されている、または、壁部は、水平断面積が下方に向かって小さくなる部分と水平断面積が下方に向かって変化せずに維持される部分とで構成されている。このような構成を採用すれば、成形型を用いてバッフルを容易に成形できる。例えば、１回の成形でバッフルの全体を成形した後に、容易に離型できる。ただし、壁部が、水平断面積が下方に向かって大きくなる部分を含んでも良い。
【０１０４】
また、バッフルの流入口（例えば、図２の流入口８０２）と、流入口に接続される管（例えば、流入ソケット８９２）との接続方法としては、任意の方法を採用可能である。例えば、管とバッフルとが一体成形によって成形されてもよい。
【０１０５】
（３）排水処理装置８００の構成としては、図１〜図４に示す構成に代えて、他の種々の構成を採用可能である。例えば、夾雑物除去槽８１０に嫌気濾材が充填されてもよい。また、接触曝気槽８３０に代えて、微生物を保持する担体が流動する担体流動槽を採用してもよい。
【０１０６】
また、ピークカット機構としては、図２の実施例の放流エアリフトポンプ８７０に限らず、種々の構成を採用可能である。例えば、排水処理装置が、好気処理部（例えば、接触曝気槽８３０）と、原水を受けれて受け入れた原水を好気処理部へ供給するための前段処理部（図１の実施例では、夾雑物除去槽８１０と嫌気濾床槽８２０との全体）とを有する場合には、前段処理部から好気処理部へ被処理水を少量ずつ移送するエアリフトポンプを採用可能である。また、前段処理部から好気処理部への単位時間当たりの移流量を制限する堰（例えば、Ｖ型堰や小孔）を採用してもよい。このようなピークカット機構を設けることによって、好気処理部から未処理の水が流出する可能性を低減できる。ただし、ピークカット機構が省略されてもよい。この場合、排水処理装置の各水処理槽内では、通常の使用状態では、水位は、変動せずにおおよそ一定である。このような一定の水位は、設計上の最高水位ということができる。
【０１０７】
また、処理フローとしては、図１に示すフローに限らず、他の任意のフローを採用可能である。例えば、水位センサと、水位センサによって特定される水位に応じて制御される移送ポンプと、を有する流量調整槽が設けられても良い。また、家庭からの排水に限らず、産業排水を処理する排水処理装置を採用してもよい。
【０１０８】
いずれの場合も、阻流部を有する流入バッフルが取り付けられる水処理槽としては、夾雑物除去槽８１０（図２）に代えて、他の任意の水処理槽を採用可能である。例えば、嫌気濾床槽８２０に流入バッフル９００が取り付けられても良い。この場合、移流開口８１４に流入バッフル９００の流入口９３２が連通するように、流入バッフル９００が取り付けられる。この構成によれば、流入バッフル９００から流出する水の勢いが緩和されるので、嫌気濾床槽８２０の底部に堆積した汚泥が撹拌されることを抑制できる。
【０１０９】
一般的には、排水処理装置の外部から排水処理装置へ流入する水の勢いは、排水処理装置内の水処理槽から他の水処理槽へ移流する水の勢いと比べて、強い。従って、複数の水処理槽を有する排水処理装置において、排水処理装置の外部から排水処理装置へ流入する水を受け入れる水処理槽に、阻流部を有する流入バッフルを取り付けることが好ましい。この構成によれば、水の勢いが水処理に与える影響を緩和できる。例えば、堆積汚泥の撹拌やスカムの破砕等を抑制できる。
【０１１０】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１１１】
８００...排水処理装置、８０１...槽本体、８０２...流入口、８０３...側壁（仕切板）、８０４...放流口、８１０、８１０ｍ、８１０ｍ２...夾雑物除去槽、８１４...移流開口、８２０...嫌気濾床槽、８２２...濾材、８２４...移流開口、８３０...接触曝気槽、８３２...第１接触材、８３３...第２接触材、８３４...散気装置、８３６...移流開口、８４０...処理水槽、８４２...第２側壁部、８４２ｄ...傾斜部、８４３...第３側壁部、８４３ｅ...接続部分、８４４...第４側壁部、８４４ｅ...接続部分、８４９...ホッパー部分、８４９Ｌ...下部分、８５０...消毒槽、８５４...薬剤筒、８６０...循環エアリフトポンプ、８６１...第１移流管、８６２...吸入口、８６３...第２移流管、８６４...流出口、８７０...放流エアリフトポンプ、８７２...吸入口、８７４...流出口、８９２...流入ソケット、９００...流入バッフル、９００ｍａ...第１流入バッフル、９００ｍｂ...第２流入バッフル、９００ｍｃ...第３流入バッフル、９００ｍｄ...第４流入バッフル、９００ｍｅ...第５流入バッフル、９００ｍｆ...第６流入バッフル、９００ｍｇ...第７流入バッフル、９１０...壁部、９１０...側壁部、９１０...第１側壁部、９１０ｍａ...側壁部、９１０ｍｅ...側壁部、９１２...開口、９１４...棚部、９１６...段部（阻流部）、９１６ａ...第１部分、９１６ｂ...第２部分、９１６ｃ...第３部分、９１６ｓ...内面、９２０...第２側壁部、９２２...流出口、９２６...突出部、９２６ｓ...内面、９３０...第３側壁部、９３２...流入口、９４０...第４側壁部、９４２...流出口、９４６...突出部、９４６ｓ...内面、９５０、９５０ｍｂ、９５０ｍｆ...底壁部、９９０...流路、８０３ｅ１...端、８４２ｅ１...端部、８４２ｅ２...端部、ＷＬ...水面（水位）、ＬＷＬ...低水位、ＨＷＬ...高水位、ＰＲｅ１、ＰＲｅ２...端、ＰＲ...投影範囲、ＭＴ１、ＭＴ２...モデル槽、Ａｉ...流入領域、Ａｉ２...流入領域、Ｐｓ、Ｐｓ２...対称面、Ａｏａ...第１流出領域、Ａｏｂ...第２流出領域、Ａｏ２...流出領域、ＰＰ...阻流板、ＰＱ...突出部、ＯＰａ、ＯＰｂ、ＯＰｃ、ＯＰｅ、ＯＰｆ...流出口
【図１】
0006529255.tif 000002
【図２】
0006529255.tif 000003
【図３】
0006529255.tif 000004
【図４】
0006529255.tif 000005
【図５】
0006529255.tif 000006
【図６】
0006529255.tif 000007
【図７】
0006529255.tif 000008
【図８】
0006529255.tif 000009
【図９】
0006529255.tif 000010
【図１０】
0006529255.tif 000011
【図１１】
0006529255.tif 000012